(57)【要約】【課題】アキュムレータの容量を大きくすることなく、圧縮機への液バックを防止することのできる空気調和装置を提供すること。【解決手段】アキュムレータ１９、圧縮機１８及び熱源側熱交換器２１を備える熱源側ユニット１１と、利用側熱交換器２４Ａ、２４Ｂを備える利用側ユニット１３Ａ、１３Ｂと、蓄熱槽３６内に配置された蓄熱用熱交換器３５及びこの蓄熱用熱交換器３５に連なる第３開閉弁４３を備える蓄熱ユニット１２とを備え、熱源側熱交換器２１からの冷媒を蓄熱用熱交換器３５に通した後、利用側熱交換器２４Ａ、２４Ｂをバイパスさせて、第３開閉弁４３を介して流す製氷運転もしくは温水除霜運転を可能とする空気調和装置において、製氷運転もしくは温水除霜運転の開始時に、第３開閉弁４３の単位時間あたりの開弁時間が所定時間以上となるように、当該第３開閉弁４３を開閉する弁制御手段５１を備える。【選択図】図１
2008025900.tif 000002
【特許請求の範囲】
【請求項１】
アキュムレータ、圧縮機及び熱源側熱交換器を備える熱源側ユニットと、利用側熱交換器を備える利用側ユニットと、蓄熱槽内に配置された蓄熱用熱交換器及びこの蓄熱用熱交換器に連なる開閉弁を備える蓄熱ユニットとを備え、前記熱源側熱交換器からの冷媒を蓄熱用熱交換器に通した後、前記利用側熱交換器をバイパスさせて、前記開閉弁を介して流す製氷運転もしくは温水除霜運転を可能とする空気調和装置において、
前記製氷運転もしくは温水除霜運転の開始時に、前記開閉弁の単位時間あたりの開弁時間が所定時間以上となるように、当該開閉弁を開閉する弁制御手段を備えることを特徴とする空気調和装置。
【請求項２】
前記弁制御手段は、前記開閉弁を所定の開弁時間だけ開き、この開弁時間よりも長い所定の閉弁時間だけ閉じるサイクルを繰り返し実行することを特徴とする請求項１に記載の空気調和装置。
【請求項３】
前記弁制御手段は、前記サイクルを所定継続時間が経過するまで継続することを特徴とする請求項２に記載の空気調和装置。
【請求項４】
前記圧縮機の吸込圧力を検出する吸込圧力検出手段を備え、
前記弁制御手段は、検出された吸込圧力が所定値以上となるまで前記サイクルを継続することを特徴とする請求項２に記載の空気調和装置。
【発明の詳細な説明】
【技術分野】
【０００１】
本発明は、蓄熱槽を備え、この蓄熱槽を介して冷却された冷媒を室内熱交換器に導いて、冷房運転を行う空気調和装置に関する。
【背景技術】
【０００２】
一般に、アキュムレータ、圧縮機及び熱源側熱交換器を備える熱源側ユニットと、利用側熱交換器を備える利用側ユニットと、蓄熱槽内に配置された蓄熱用熱交換器及びこの蓄熱用熱交換器に連なる開閉弁を備える蓄熱ユニットとを備える空気調和装置が知られている。この種のものでは、例えば夜間１０時から翌朝８時までの電力料金の低い時間帯には、製氷運転として、熱源側熱交換器からの液冷媒を蓄熱用熱交換器に供給した後、利用側熱交換器をバイパスさせ、上記開閉弁を介して熱源側熱交換器に流すことにより蓄熱槽に氷を作り、例えば昼間、気温が上昇する時間帯には、蓄熱利用冷房運転として、熱源側熱交換器からの液冷媒を蓄熱用熱交換器に循環させて蓄熱槽内の氷と熱交換させて、過冷却状態の液冷媒を作り、この過冷却状態の液冷媒を利用側熱交換器に供給して被調和室の冷房運転を行うものが提案されている（例えば、特許文献１参照）。
【特許文献１】特開２００２−０２２２１５号公報
【発明の開示】
【発明が解決しようとする課題】
【０００３】
しかし、従来の構成では、蓄熱利用冷房運転時には、蓄熱槽内は満液の状態になっており、蓄熱用熱交換器内に滞留する冷媒は液相の状態にある。この状態において、上述した開閉弁をいきなり開にして、蓄熱利用冷房運転から製氷運転に転じると、蓄熱用熱交換器内に滞留する液冷媒が、一度に圧縮機の吸込側に流入する。この圧縮機の吸込側には液冷媒を貯留するアキュムレータが設けられているが、蓄熱用熱交換器内に滞留する多量の液冷媒が一度に流入するとアキュムレータからオーバーフローして圧縮機に液バックしこの圧縮機がロックするという問題がある。これを解消するためには、上述したアキュムレータの容量を大きくすればよいが、このような対策は機器を大型化するだけで、現実的ではない。
そこで、本発明の目的は、上述した従来の技術が有する課題を解消し、アキュムレータの容量を大きくすることなく、圧縮機への液バックを防止することのできる空気調和装置を提供することにある。
【課題を解決するための手段】
【０００４】
上記課題を解決するため、本発明は、アキュムレータ、圧縮機及び熱源側熱交換器を備える熱源側ユニットと、利用側熱交換器を備える利用側ユニットと、蓄熱槽内に配置された蓄熱用熱交換器及びこの蓄熱用熱交換器に連なる開閉弁を備える蓄熱ユニットとを備え、前記熱源側熱交換器からの冷媒を蓄熱用熱交換器に通した後、前記利用側熱交換器をバイパスさせて、前記開閉弁を介して流す製氷運転もしくは温水除霜運転を可能とする空気調和装置において、前記製氷運転もしくは温水除霜運転の開始時に、前記開閉弁の単位時間あたりの開弁時間が所定時間以上となるように、当該開閉弁を開閉する弁制御手段を備えることを特徴とする。
【０００５】
この場合において、前記弁制御手段は、前記開閉弁を所定の開弁時間だけ開き、この開弁時間よりも長い所定の閉弁時間だけ閉じるサイクルを繰り返し実行する構成としても良い。また、前記弁制御手段は、前記サイクルを所定継続時間が経過するまで継続する構成としても良い。また、前記圧縮機の吸込圧力を検出する吸込圧力検出手段を備え、前記弁制御手段は、検出された吸込圧力が所定値以上となるまで前記サイクルを継続する構成としても良い。
【発明の効果】
【０００６】
本発明によれば、製氷運転もしくは温水除霜運転の開始時には、開閉弁の単位時間あたりの開弁時間が所定時間以上となるように、当該開閉弁を開閉するため、蓄熱用熱交換器内に滞留する液冷媒が、一度に圧縮機の吸込側に流入することが抑制される。従って、圧縮機の吸込側に流入する液冷媒は、アキュムレータによりすべて捕集されるので、圧縮機への液バックは防止される。また、圧縮機の吸込側に流入する液冷媒の量が減るため、アキュムレータの容量を減少させることができる。
【発明を実施するための最良の形態】
【０００７】
以下、図面を参照して本発明の実施の形態について説明する。
空気調和装置１０は、図１に示すように、熱源側ユニット１１と、この熱源側ユニット１１に接続された蓄熱ユニット１２及び利用側ユニット１３Ａ、１３Ｂと、これら各ユニットを統括的に制御する制御装置５１とを備えて構成される。熱源側ユニット１１は、容量可変型の圧縮機１８を備え、この圧縮機１８の吸込側にアキュムレータ１９が接続され、当該圧縮機１８の吐出側に四方弁２０が接続されている。この四方弁２０には、冷媒配管１４を介して、熱源側熱交換器２１、電動膨張弁２２及びレシーバタンク２３が順次接続されている。また、四方弁２０にはアキュムレータ１９が接続されている。
利用側ユニット１３Ａ、１３Ｂは、利用側熱交換器２４Ａ、２４Ｂと電動膨張弁２５Ａ、２５Ｂとを備え、これら利用側熱交換器２４Ａ、２５Ｂの一端２４Ａ１、２４Ｂ１は、それぞれ冷媒配管１７を介して四方弁２０に接続されている。また、電動膨張弁２５Ａ、２５Ｂは空調負荷に応じて開度が調整される。
【０００８】
蓄熱ユニット１２は、蓄熱用熱交換器３５を備え、この蓄熱用熱交換器３５は蓄熱槽３６内に水没するように配置されている。この蓄熱用熱交換器３５の一端３５Ａには、冷媒配管３７を介して、電動膨張弁３８が接続される。この電動膨張弁３８には、２つに分岐された冷媒配管３９Ａ、３９Ｂが接続され、一方の冷媒配管３９Ａは、第１開閉弁４１を介してレシーバタンク２３に接続されている。また、他方の冷媒配管３９Ｂは、各利用側ユニット１３Ａ、１３Ｂの電動膨張弁２５Ａ、２５Ｂにそれぞれ接続されている。
本構成では、上記冷媒配管３９Ａと冷媒配管３７との間には、第１開閉弁４１及び電動膨張弁３８をバイパスするバイパス管４０が設けられ、このバイパス管４０には第２開閉弁４２及び逆止弁４５が配置されている。
また、蓄熱用熱交換器３５の他端３５Ｂには、第３開閉弁（開閉弁）４３を有する冷媒配管４６が接続され、この冷媒配管４６は上記冷媒配管１７に接続されている。また、蓄熱用熱交換器３５の他端３５Ｂと第３開閉弁４３との間には、冷媒配管４６から分岐して上記冷媒配管３９Ｂに接続される冷媒配管４７が設けられ、この冷媒配管４７には第４開閉弁４４及び逆止弁４８が配置されている。
【０００９】
つぎに、この空気調和装置の動作を説明する。
（１）製氷運転
図１に示す空気調和装置１０の製氷運転は、例えば、夜間１０時から翌朝８時までの電力料金が安い時間帯に、熱源側ユニット１１における熱源側熱交換器２１からの液冷媒を蓄熱ユニット１２における蓄熱槽３６内の蓄熱用熱交換器３５へ供給し、蓄熱槽３６内に氷を作る運転である。
この場合には、蓄熱ユニット１２において、第２開閉弁４２及び第４開閉弁４４が閉弁されて、第１開閉弁４１、電動膨張弁３８及び第３開閉弁４３が開弁操作される。また、利用側ユニット１３Ａ、１３Ｂでは、電動膨張弁２５Ａ、２５Ｂは閉弁されている。
この状態で、熱源側ユニット１１の圧縮機１８が起動されると、この圧縮機１８から吐出されたガス冷媒は、四方弁２０を介して熱源側熱交換器２１にて凝縮され、電動膨張弁２２を経て減圧されてレシーバタンク２３に流入し、ここでは余剰の液冷媒が貯留される。このレシーバタンク２３を経た冷媒は、蓄熱ユニット１２の第１開閉弁４１を通過して電動膨張弁３８にて更に減圧され、蓄熱槽３６内の蓄熱用熱交換器３５へ流入する。
この蓄熱用熱交換器３５内に流入した冷媒は蒸発されて、蓄熱用熱交換器３５の外周に氷を付着した状態で形成する。その後、蓄熱用熱交換器３５内のガス冷媒は、第３開閉弁４３、冷媒配管１７、四方弁２０及びアキュムレータ１９を経て圧縮機１８に戻される。この製氷運転によって蓄熱槽３６内に氷が形成され、この氷に蓄熱された冷熱が、次の蓄熱利用冷房運転にて利用される。
【００１０】
（２）蓄熱利用冷房運転
図２に示す空気調和装置１０の蓄冷利用冷房運転は、例えば、昼間、気温が上昇する時間帯に、熱源側ユニット１１における熱源側熱交換器２１からの液冷媒を、蓄熱ユニット１２における蓄熱槽３６内の蓄熱用熱交換器３５へ供給させて過冷却状態とし、この過冷却状態の液冷媒を利用側ユニット１３Ａ，１３Ｂの利用側熱交換器２４Ａ，２４Ｂへ供給して実施される。
この場合には、蓄熱ユニット１２において、電動膨張弁３８、第１開閉弁４１及び第３開閉弁４３が閉弁されて、第２開閉弁４２、第４開閉弁４４が開弁操作される。また、利用側ユニット１３Ａ、１３Ｂでは、電動膨張弁２５Ａ、２５Ｂは開弁操作されている。
この状態で、熱源側ユニット１１の圧縮機１８が起動されると、この圧縮機１８から吐出されたガス冷媒は、四方弁２０を介して熱源側熱交換器２１にて凝縮され、電動膨張弁２２を経て減圧されてレシーバタンク２３に流入し、ここでは余剰の液冷媒が貯留される。このレシーバタンク２３を経た冷媒は、第２開閉弁４２及び逆止弁４５を経て分岐され、この冷媒の多くが蓄熱槽３６内の蓄熱用熱交換器３５へ流入する。
【００１１】
この蓄熱用熱交換器３５内に流入した液冷媒は、蓄熱用熱交換器３５内を満杯状態で流れ、蓄熱用熱交換器３５の外周に付着した氷を解氷し、この氷に蓄熱された冷熱により過冷却状態となる。その後、蓄熱用熱交換器３５内の過冷却状態の液冷媒は、第４開閉弁４４及び逆止弁４８を経て、利用側ユニット１３Ａ、１３Ｂの各電動膨張弁２５Ａ、２５Ｂ、利用側熱交換器２４Ａ、２４Ｂへそれぞれ流入し、これら利用側熱交換器２４Ａ、２４Ｂで蒸発して室内を冷房する。その後、ガス冷媒は、冷媒配管１７、四方弁２０及びアキュムレータ１９を経た後、圧縮機１８へ戻される。
従って、この凝縮蓄冷利用による冷房運転では、前述の製氷運転で蓄熱槽３６内の氷に蓄熱された冷熱を利用し、蓄熱槽３６の蓄熱用熱交換器３５内で液冷媒を過冷却状態として利用側熱交換器２４へ供給するので、この利用側熱交換器２４における冷房運転の効率を向上させることができる。
【００１２】
また、上述の蓄熱利用冷房運転においては、蓄熱ユニット１２において、蓄熱用熱交換器３５から第４開閉弁４４側の冷媒配管４７へ流入した液冷媒温度Ｅ１が、利用側ユニット１３Ａ、１３Ｂにおける利用側熱交換器２４Ａ、２４Ｂの蒸発温度Ｅ２よりも低いときに、蓄熱ユニット１２の電動膨張弁３８の開度が調整されて、蓄熱槽３６内の蓄熱用熱交換器３５で過冷却された液冷媒に、熱源側熱交換器２１及び電動膨張弁２２からの液冷媒を合流させ、この合流した液冷媒を利用側熱交換器２４へ供給する。このような蓄熱利用冷房運転は、熱源側熱交換器２１及び電動膨張弁２２からの液冷媒が蓄熱用熱交換器３５内で過冷却された液冷媒よりも温度が高いことから、利用側熱交換器２４Ａ、２４Ｂへ流れる液冷媒の温度を上昇させて、この利用側熱交換器２４Ａ、２４Ｂによる室内の冷房運転を適正化するものである。
【００１３】
（３）通常冷房運転
図３に示す空気調和装置１０における通常冷房運転は、蓄熱ユニット１２における蓄熱槽３６内の氷に蓄熱された冷熱を利用しないで実施される冷房運転である。この場合、第１開閉弁４１が開弁し、そのほかの第２開閉弁４２、第３開閉弁４３、第４開閉弁４４及び電動膨張弁３８がすべて閉弁操作される。また、利用側ユニット１３Ａ、１３Ｂにおける電動膨張弁２５Ａ、２５Ｂは空調負荷に応じて開弁される。
この状態で、熱源側ユニット１１の圧縮機１８が起動されると、この圧縮機１８から吐出されたガス冷媒は、四方弁２０を介して熱源側熱交換器２１にて凝縮され、電動膨張弁２２を経て減圧されてレシーバタンク２３に流入し、ここでは余剰の液冷媒が貯留される。このレシーバタンク２３を経た冷媒は、第１開閉弁４１、電動膨張弁２５Ａ，２５Ｂを経て、利用側熱交換器２４Ａ、２４Ｂへ流入し、この利用側熱交換器２４Ａ，２４Ｂで蒸発して室内を冷房した後、冷媒配管１７を通り、四方弁２０及びアキュムレータ１９を経た後、圧縮機１８へ戻される。
【００１４】
（４）温水蓄熱運転
図４に示す空気調和装置１０の温水蓄熱運転は、例えば夜間１０時から翌朝８時までの電力料金の安い時間帯に、圧縮機１８からの高温高圧のガス冷媒を蓄熱ユニット１２における蓄熱槽３６の蓄熱用熱交換器３５へ供給し、蓄熱槽３６内の水を温水とする運転である。
この場合には、蓄熱ユニット１２において、第１開閉弁４１、第３開閉弁４３及び電動膨張弁３８が開弁され、第２開閉弁４２及び第４開閉弁４４が閉弁操作される。また、利用側ユニット１３Ａ、１３Ｂの電動膨張弁２５Ａ、２５Ｂは閉弁される。
この状態で、熱源側ユニット１１の圧縮機１８が起動されると、この圧縮機１８から吐出された高温高圧のガス冷媒は、四方弁２０及び第３開閉弁４３を経て、蓄熱槽３６の蓄熱用熱交換器３５内で凝縮され、蓄熱槽３６内の水を温水とする。その後、蓄熱用熱交換器３５内の凝縮冷媒は、電動膨張弁３８、第１開閉弁４１及び熱源側ユニット１１のレシーバタンク２３を経て電動膨張弁２２で減圧され、熱源側熱交換器２１にて蒸発された後、四方弁２０及びアキュムレータ１９を経て圧縮機１８へ戻される。この温水蓄熱運転によって温水が作られ、この温水に蓄熱された温熱が、次の温水除霜運転に利用される。
【００１５】
（５）温水除霜運転
図５に示す空気調和装置１０の暖房運転時における温水除霜運転は、蓄熱ユニット１２における蓄熱槽３６の温水を利用して熱源側熱交換器２１の除霜を実施するものである。この場合、上記製氷運転時と同様に、蓄熱ユニット１２において、第２開閉弁４２及び第４開閉弁４４が閉弁されて、第１開閉弁４１、電動膨張弁３８及び第３開閉弁４３が開弁操作される。また、利用側ユニット１３Ａ、１３Ｂでは、電動膨張弁２５Ａ、２５Ｂは閉弁されている。
この状態で、熱源側ユニット１１の圧縮機１８が起動されると、蓄熱槽３６の蓄熱用熱交換器３５において、蓄熱槽３６内の温水の熱を吸熱して冷媒が蒸発し、このガス冷媒が四方弁２０、アキュムレータ１９を経て圧縮機１８に至る。この圧縮機１８により冷媒は高温高圧ガスとなり、電動膨張弁２２にて凝縮され、その放熱によって熱源側熱交換器２１に付着した霜を除霜する。このように、蓄熱槽３６内の温水を利用することによって熱源側熱交換器２１の除霜効率が向上する。
【００１６】
（６）通常暖房運転
図６に示す空気調和装置１０の通常暖房運転は、蓄熱ユニット１２における蓄熱槽３６内の温水を利用しないで実施される暖房運転である。この場合、上記通常冷房運転と同様に、第１開閉弁４１が開弁し、そのほかの第２開閉弁４２、第３開閉弁４３、第４開閉弁４４及び電動膨張弁３８がすべて閉弁操作される。また、利用側ユニット１３Ａ、１３Ｂにおける電動膨張弁２５Ａ、２５Ｂは空調負荷に応じて開弁される。
この状態で、熱源側ユニット１１の圧縮機１８から吐出されたガス冷媒は、四方弁２０を経て利用側ユニット１３Ａ、１３Ｂの利用側熱交換器２４Ａ、２４Ｂに至って凝縮されて液冷媒となり室内を暖房する。その後、この液冷媒は、蓄熱ユニット１２の第１開閉弁４１を経て、熱源側ユニット１１の電動膨張弁２２に至って減圧され、熱源側熱交換器２１にて蒸発された後、四方弁２０及びアキュムレータ１９を経て圧縮機１８へ戻される。
【００１７】
上述のように、蓄熱利用冷房運転時もしくは温水蓄熱運転時には、蓄熱槽３６内は満液の状態になっており、蓄熱用熱交換器３５内に滞留する冷媒は液相の状態にある。この状態において、第３開閉弁４３をいきなり全開にして、蓄熱利用冷房運転から製氷運転、もしくは、温水蓄熱運転から温水除霜運転に転じると、蓄熱用熱交換器３５内に滞留する液冷媒が、一度に圧縮機１８の吸込側に流入する。この圧縮機１８の吸込側には、液冷媒を貯留するアキュムレータ１９が配置されているが、蓄熱用熱交換器３５内に滞留する多量の液冷媒が一度に流入すると、アキュムレータ１９からオーバーフローして、圧縮機１８に液バックして、この圧縮機１８がロックするおそれがある。
【００１８】
これを防止するために、本実施形態では、蓄熱利用冷房運転から製氷運転、もしくは、温水蓄熱運転から温水除霜運転に移行する際に、制御装置５１は、第３開閉弁４３の単位時間あたりの開弁時間が所定時間以上となるように、この第３開閉弁４３を開閉制御するようになっている。この場合、制御装置５１が第３開閉弁４３の開閉制御を行う弁制御手段として機能する。
具体的には、製氷運転もしくは温水除霜運転が選択されると、制御装置５１は、図７に示すように、第３開閉弁４３を所定の開弁時間Ｔ１（例えば１秒間）開弁し、この開弁時間Ｔ１よりも長い所定の閉弁時間Ｔ２（例えば１０秒間）閉弁するサイクルを実行する。この場合、制御装置５１は、第３開閉弁４３の開閉動作のサイクルを、この動作開始から所定継続時間Ｔ３（例えば５分間）が経過するまで繰り返し実行する。この所定継続時間Ｔ３が経過化すると、制御装置５１は、上記サイクルを終了し、第３開閉弁４３を開弁した状態で通常の製氷運転に移行する。この所定継続時間Ｔ３、開弁時間Ｔ１及び閉弁時間Ｔ２及びは、熱源側熱交換器２１、アキュムレータ１９の大きさ及び第３開閉弁４３の口径に応じて実験的に求められる。
【００１９】
本実施の形態によれば、製氷運転もしくは温水除霜運転の開始時に、第３開閉弁４３を所定の開弁時間Ｔ１だけ開き、この開弁時間Ｔ１よりも長い所定の閉弁時間Ｔ２だけ閉じることにより、簡単な構成で単位時間当たりの第３開閉弁４３の開時間を小さくできるため、蓄熱用熱交換器３５内に滞留する液冷媒が、一度に圧縮機１８の吸込側に流入することはない。従って、圧縮機１８の吸込側に流入する液冷媒は、アキュムレータ１９によりすべて捕集されるので、圧縮機１８への液バックは防止される。また、この構成によれば、圧縮機１８の吸込側に流入する液冷媒の量が減るため、アキュムレータ１９の小型化を図ることができる。
【００２０】
また、本実施形態によれば、サイクルを所定継続時間Ｔ３が経過するまで継続するため、この所定継続時間Ｔ３の経過時には、蓄熱用熱交換器３５内に滞留する液冷媒は、すべてアキュムレータ１９に捕集されることにより、スムーズに製氷運転に移行することができる。
【００２１】
以上、本発明の一実施形態について説明したが、本発明は、これに限定されるものでないことは明らかである。例えば、本実施形態では、第３開閉弁４３の開閉制御を所定継続時間Ｔ３が経過するまで継続して実行する構成としていたが、これに限るものではなく、圧縮機１８の吸込側に吸込圧力を検出する圧力計（吸込圧力検出手段）を設け、検出された吸込圧力が所定の圧力値以上となるまで、第３開閉弁４３の開閉制御を継続して実行する構成としても良い。
この構成では、第３開閉弁４３が開弁されて蓄熱用熱交換器３５内に滞留する液冷媒が徐々に圧縮機１８の吸込側に流入すると、この圧縮機１８の吸込圧力が上昇することにより、蓄熱用熱交換器３５内の圧力と圧縮機１８の吸込側の圧力とがバランスされる。このため、圧縮機１８の吸込圧力が所定の圧力以上となれば、圧力差に基づいて蓄熱用熱交換器３５内に滞留する液冷媒が圧縮機１８の吸込側に流入することは無いと考えられる。従って、制御装置５１は、検出された吸込圧力が所定の圧力以上となると、第３開閉弁４３の開閉動作のサイクルを終了することにより、製氷運転もしくは温水除霜運転に移行する際の精度を高めることができ、この移行時間の短縮を図ることができる。
【００２２】
また、上記実施形態では、１台の熱源側ユニット１１に１台の蓄熱ユニット１２を接続する構成について説明したが、これに限るものではなく、１台の熱源側ユニット１１に複数台（例えば２台）の蓄熱ユニットを接続する構成としても良い。この構成では、制御装置５１は、図８に示すように、一方の蓄熱ユニット１２の第３開閉弁４３を上記した開弁時間Ｔ１（例えば１秒間）だけ開き、その後、閉弁時間Ｔ２（例えば１０秒間）だけ閉じる制御を行う。続いて、制御装置５１は、他方の蓄熱ユニット１２の第３開閉弁４３を上記した開弁時間Ｔ１（例えば１秒間）だけ開き、その後、閉弁時間Ｔ２（例えば１０秒間）だけ閉じる制御を行う。
この構成によれば、蓄熱ユニット１２の台数が増えた場合であっても、圧縮機１８に対する単位時間当たりの第３開閉弁４３の開弁時間は変わらないため、蓄熱用熱交換器３５内に滞留する液冷媒が、一度に圧縮機１８の吸込側に流入することはない。従って、圧縮機１８の吸込側に流入する液冷媒は、アキュムレータ１９によりすべて捕集されるので、圧縮機１８への液バックは防止される。また、この構成によれば、圧縮機１８の吸込側に流入する液冷媒の量が減るため、アキュムレータ１９の小型化を図ることができる。
【図面の簡単な説明】
【００２３】
【図１】本実施形態に係る空気調和装置の製氷運転時の管路図である。
【図２】図１の一実施の形態における蓄熱冷房運転時の管路図である。
【図３】図１の一実施の形態における通常冷房運転時の管路図である。
【図４】図１の一実施の形態における温水蓄熱運転時の管路図である。
【図５】図１の一実施の形態における温水除霜運転時の管路図である。
【図６】図１の一実施の形態における通常暖房運転時の管路図である。
【図７】開閉弁の動作を示すタイミングチャートである。
【図８】蓄熱ユニットを複数台備える場合の開閉弁の動作を示すタイミングチャートである。
【符号の説明】
【００２４】
１０  空気調和装置
１１  熱源側ユニット
１２  蓄熱ユニット
１３Ａ、１３Ｂ  利用側ユニット
１８  圧縮機
１９  アキュムレータ
２１  熱源側熱交換器
２４Ａ、２４Ｂ  利用側熱交換器
３５  蓄熱用熱交換器
３６  蓄熱槽
４３  第３開閉弁（開閉弁）
５１  制御装置（弁制御手段）
【図１】
2008025900.tif 000003
【図２】
2008025900.tif 000004
【図３】
2008025900.tif 000005
【図４】
2008025900.tif 000006
【図５】
2008025900.tif 000007
【図６】
2008025900.tif 000008
【図７】
2008025900.tif 000009
【図８】
2008025900.tif 000010